(57)【要約】【課題】  カードの着脱を容易に行うことができるカード用ホルダを提供すること。【解決手段】  所定間隔で互いに対向するベース２及びカバー３と、これらベース２とカバー３との間の支軸７回りに旋回可能で、かつカードを着脱可能に保持するホルダ４とを備え、上記ベース２は、カバー３側へ突出する接触端子６を有している一方、上記ホルダ４は、ベース２及びカバー３の外側へ露出する着脱位置と、カードをベース２とカバー３との間に挿入して、カードの端子を接触端子６に接触させるセット位置との間で旋回自在とされている。【選択図】      図２
2006073302.tif 000002
【特許請求の範囲】
【請求項１】
表面に端子を有する略方形のカードを装着可能なカード用コネクタであって、
所定間隔で互いに対向するベース及びカバーと、
これらベースとカバーとの間の支軸回りに旋回可能で、かつ上記カードを着脱可能に保持するホルダとを備え、
上記ベースは、カバー側へ突出する接触端子を有している一方、
上記ホルダは、少なくとも一部がベース及びカバーの外側へ露出して、上記カードを側方から着脱可能な着脱位置と、保持されているカードを上記ベースとカバーとの間に挿入して、当該カードの端子を上記接触端子に接触させるセット位置との間で旋回自在とされていることを特徴とするカード用コネクタ。
【請求項２】
上記カバーは、セット位置にあるホルダが着脱位置へ旋回するのを抑制する弾性片を備えていることを特徴とする請求項１に記載のカード用コネクタ。
【請求項３】
上記支軸は、その両端部がベース及びカバーに対してそれぞれ固定され、これらベース及びカバーによって、上記ホルダが支軸から抜け止めされていることを特徴とする請求項１又は請求項２に記載のカード用コネクタ。
【請求項４】
上記カバーは、金属により形成されているとともに、アース端子を備えていることを特徴とする請求項１乃至請求項３の何れか１項に記載のカード用コネクタ。
【請求項５】
上記ホルダは、カードの対向する縁部をそれぞれ支持する一対のアームを有する略コの字形に形成されているとともに、上記一方のアームには、その先端側から上記縁部を受入可能なスライド溝が形成され、上記着脱位置にあるホルダは、上記スライド溝により一方の縁部を支持するとともに、ベース、カバーの少なくとも一方と他方のアームとによって他方の縁部を支持して、カードを保持するように構成されていることを特徴とする請求項１乃至請求項４の何れか１項に記載のカード用コネクタ。
【請求項６】
上記ホルダには、上記着脱位置へ旋回した状態においてカバー及びベースの外側に露出する位置に、カードに形成された位置決め用の切欠きに対応する位置決め斜面が形成され、上記ホルダは、この位置決め斜面と上記切欠きとが当接した状態でカードを保持する一方、上記位置決め斜面は、ホルダをセット位置へ旋回した場合に、保持しているカードの端子とベースの接触端子とが接続可能となる姿勢で当該カードとホルダとを位置合せするように構成されていることを特徴とする請求項１乃至請求項５の何れか１項に記載のカード用コネクタ。
【請求項７】
上記ホルダは、ストッパーを備え、このストッパーは、ベース、カバーの少なくともいずれか一方と当接することにより、上記着脱位置においてホルダの旋回位置を規制するように構成されていることを特徴とする請求項１乃至請求項６の何れか１項に記載のカード用コネクタ。
【請求項８】
上記接触端子には、上記ホルダの旋回に応じて回動するカードの端子と摺動可能となるように、当該端子の軌道に沿った摺動面が形成されていることを特徴とする請求項１乃至請求項７の何れか１項に記載のカード用コネクタ。
【発明の詳細な説明】
【技術分野】
【０００１】
本発明は、ＳＩＭ（Subscriber Identity Module）カードやＭｉｎｉ−ＵＩＣＣ（Universal Integrated Circuit Card）等、表面に端子を有するカード（以下、単にカードと称す）を装着可能なカード用コネクタに関するものである。
【背景技術】
【０００２】
一般に、カードの回路を、例えば、プリント基板等の回路に接続する場合には、カード用コネクタが使用されている。
【０００３】
この種のカード用コネクタとしては、カードの端子に接続可能な端子を有するポケット状のハウジングを備え、このハウジングの支持アームを押下しつつ（ロックを解除しつつ）、当該ハウジング内にカードを挿入するように構成されたもの（例えば、特許文献１）が知られている。
【０００４】
また、別のカード用コネクタとしては、カードの端子に接続可能な接続端子を有するハウジングと、カードホルダとを備え、カードを保持させたカードホルダをハウジングに嵌め込むことにより、ハウジングとカードホルダとの間にカードを挟持させるようにしたもの（例えば、特許文献２）も知られている。
【特許文献１】特許第２８６０３６２号明細書
【特許文献２】特許第３０２００２０号明細書
【発明の開示】
【発明が解決しようとする課題】
【０００５】
しかしながら、上記各特許文献のカード用コネクタでは、カードの着脱に際し、支持アームを押下しながらカードを挿入する、又はカードホルダにカードを保持させた上で当該カードホルダをハウジングに嵌め込む必要があり、比較的煩雑な作業が必要だった。
【０００６】
本発明は、上記課題に鑑みてなされたものであり、カードの着脱を容易に行うことができるカード用ホルダを提供することを目的としている。
【課題を解決するための手段】
【０００７】
上記課題を解決するために、本発明は、表面に端子を有する略方形のカードを装着可能なカード用コネクタであって、所定間隔で互いに対向するベース及びカバーと、これらベースとカバーとの間の支軸回りに旋回可能で、かつ上記カードを着脱可能に保持するホルダとを備え、上記ベースは、カバー側へ突出する接触端子を有している一方、上記ホルダは、少なくとも一部がベース及びカバーの外側へ露出して、上記カードを側方から着脱可能な着脱位置と、保持されているカードを上記ベースとカバーとの間に挿入して、当該カードの端子を上記接触端子に接触させるセット位置との間で旋回自在とされているものである。
【０００８】
上記カード用コネクタにおいて、上記カバーは、セット位置にあるホルダが着脱位置へ旋回するのを抑制する弾性片を備えていることが好ましい。
【０００９】
上記カード用コネクタにおいて、上記支軸は、その両端部がベース及びカバーに対してそれぞれ固定され、これらベース及びカバーによって、上記ホルダが支軸から抜け止めされていることが好ましい。
【００１０】
上記カード用コネクタにおいて、上記カバーは、金属により形成されているとともに、アース端子を備えていることが好ましい。
【００１１】
上記カード用コネクタにおいて、上記ホルダは、カードの対向する縁部をそれぞれ支持する一対のアームを有する略コの字形に形成されているとともに、上記一方のアームには、その先端側から上記縁部を受入可能なスライド溝が形成され、上記着脱位置にあるホルダは、上記スライド溝により一方の縁部を支持するとともに、ベース、カバーの少なくとも一方と他方のアームとによって他方の縁部を支持して、カードを保持するように構成されていることが好ましい。
【００１２】
上記カード用コネクタにおいて、上記ホルダには、上記着脱位置へ旋回した状態においてカバー及びベースの外側に露出する位置に、カードに形成された位置決め用の切欠きに対応する位置決め斜面が形成され、上記ホルダは、この位置決め斜面と上記切欠きとが当接した状態でカードを保持する一方、上記位置決め斜面は、ホルダをセット位置へ旋回した場合に、保持しているカードの端子とベースの接触端子とが接続可能となる姿勢で当該カードとホルダとを位置合せするように構成されていることが好ましい。
【００１３】
上記カード用コネクタにおいて、上記ホルダは、ストッパーを備え、このストッパーは、ベース、カバーの少なくともいずれか一方と当接することにより、上記着脱位置においてホルダの旋回位置を規制するように構成されていることが好ましい。
【００１４】
上記カード用コネクタにおいて、上記接触端子には、上記ホルダの旋回に応じて回動するカードの端子と摺動可能となるように、当該端子の軌道に沿った摺動面が形成されていることが好ましい。
【発明の効果】
【００１５】
本発明によれば、ホルダをセット位置へ旋回することによりカードを装着することができる一方、ホルダを着脱位置へ旋回させることによりカードを取り外すことができるので、ホルダの旋回といった比較的簡易的な作業でカードの着脱を容易に行うことができる。
【発明を実施するための最良の形態】
【００１６】
以下、本発明の好ましい実施形態について図面を参照して説明する。
【００１７】
図１は、本発明の実施形態に係るカード用コネクタ１の全体構成を示す斜視図であり、図２は、図１のカード用コネクタ１の分解斜視図、図３は、図１のカード用コネクタ１のカバー３を省略した状態を示しており、（ａ）は平面図、（ｂ）は側面図である。
【００１８】
各図を参照して、カード用コネクタ１は、表面に複数（本実施形態では８個）の端子Ｔを有する略方形のカードＣ（図４参照）を装着して、当該カードＣ内の回路と図略のプリント基板の回路とを接続するようになっている。
【００１９】
具体的に、カード用コネクタ１は、プリント基板上に実装される合成樹脂製のベース２と、このベース２上に所定間隔で取り付けられた金属製のカバー３と、上記ベース２とカバー３との間で旋回可能な合成樹脂製のホルダ４とを備えている。なお、上記所定間隔とは、カードＣの厚み寸法よりも若干大きな寸法でベース２とカバー３とが離間していることを意味している。
【００２０】
上記ベース２は、略方形板状の本体５を備え、この本体５には、上記各端子Ｔに対応して６枚の接触端子６が内蔵されている。これら接触端子６は、その先端部６ａが上記本体５を上下に貫通する６個の孔５ａ内にそれぞれ臨んでいる一方、その基端部６ｂが本体５の右側面からそれぞれ外側に導出され、これら基端部６ｂが、プリント基板の回路と電気的に接続（例えば、半田付け）されるようになっている。
【００２１】
図３の（ａ）に示すように、上記各孔５ａは、左右２列前後３列に配置され、それぞれ本体５の各辺に対して約４５°の角度で傾斜（左上がりに傾斜）した長方形の孔であり、これら各孔５ａの左上の端部が、装着時のカードＣの各端子Ｔに対応して配置されている。
【００２２】
一方、上記各接触端子６の先端部６ａは、その長手方向が上記各孔５ａの長手方向に沿って配置されているとともに、図３の（ｂ）に示すように、上記孔５ａ内に没し得るように本体５上へ弾性的に突出した状態とされている。そして、本体５上に突出した先端部６ａは、長手方向に沿って湾曲して、その上面に湾曲面６ｃが形成されている。
【００２３】
また、図３の（ａ）示すように、本体５上の右下位置には、支軸７が一体的に立設され、この支軸７は、ホルダ４を旋回自在に支持している。
【００２４】
上記ホルダ４は、カードＣの幅寸法Ｗ（図４参照）に対応して対向する一対のアーム８、９の基端部がフレーム１７により連結された略コの字形の板状部材であり、後述するセット位置へ旋回したときに、上記ベース２とカバー３との間に収容されるようになっている。
【００２５】
上記アーム８には、上記支軸７を挿通する孔８ａが形成されている。
【００２６】
また、上記アーム８の基端部には、ストッパー８ｂがアーム９から離間する方向へ延びて形成されている。詳しくは後述するが、このストッパー８ｂは、上記カバー３と当接して、ホルダ４の着脱位置を規定するようになっている。
【００２７】
上記アーム９には、上記アーム８側へ開くとともに長手方向に延びるスライド溝９ａが形成されている。このスライド溝９ａは、カードＣの縁部を厚み方向で支持することができる溝幅寸法に設定されている。また、上記アーム９の外側（上記スライド溝９ａの反対側の側面）には、円弧状の凹部９ｂが形成されている。
【００２８】
さらに、アーム９とフレーム１７との付根部分には、カードＣに形成された位置決め用の切欠きＣ１（図４参照）に対応して、位置決め斜面９ｃが形成されている。詳しくは後述するが、この位置決め斜面９ｃは、ホルダ４に対するカードＣの保持姿勢（各端子Ｔが下方に向いた姿勢）を規定するようになっている。
【００２９】
また、上記アーム９の基端部上には、操作片９ｄが立設されているとともに、この操作片９ｄの根元部分に窪み９ｅが形成されている。使用者は、上記操作片９ｄに爪を引掛けてホルダ４の旋回操作を行うことができ、この操作がし難い場合には、ペン先等、先の尖ったものを上記窪み９ｅ内に挿入しても、旋回操作を行うことができる。
【００３０】
上記カバー３は、上記本体５の平面形状と略同形状とされた天板１０と、この天板１０から垂下された左側板１１、後板１２、及び右側板１３を一体プレス成形で備えている。
【００３１】
上記天板１０の前方右端部には、右方向へ開く二股状の取付片１０ａが形成されている一方、上記後板１２には、左右一対の圧入片１２ａが下方へ突出している。そして、上記取付片１０ａが上記支軸７上部の溝部７ａに対して左側から挿入され、上記各圧入片１２ａが本体５上のブロック体１４を上下に貫通する圧入孔１４ａ内に圧入されており、これにより、本体５とカバー３とが固定されている。このとき、上記支軸７の上下端には、本体５及びカバー３が配置されることになるが、これら本体５及びカバー３により上記ホルダ４が支軸７から抜け止めされることになる。
【００３２】
つまり、上記カバー３と本体５とは、圧入及び挿入といったワンタッチの組み付け方式を採用しているので、これらを組み付けるための工具や装置が不要となり、設備費用を削減することができるだけでなく、組み付け用の部品（例えば、ねじ）が不要となり、カード用コネクタ１自体を安価にすることもできる。さらに、このような簡易的な構成で、支軸７に対するホルダ４の抜け止めも具現化することができる。
【００３３】
一方、上記左側板１１及び右側板１３には、外側（互いに離間する側）へ延びる複数のアース端子１５がそれぞれ形成され、これらアース端子１５は、上記接触端子６の基端部６ｂと同様にプリント基板の接地回路に接続されるようになっている。したがって、金属で形成してカバー３に強度をもたせつつ、不測の短絡等が発生した場合でも、当該アース端子１５を介してカバー３を接地することができる。
【００３４】
さらに、上記左側板１１には、その一部が切り欠かれ、内側（右側）に湾曲した板ばね１６が形成されている。この板ばね１６は、上記ホルダ４が後述するセット位置まで旋回したときに、その湾曲した腹部が上記凹部９ｂに入り込むようになっている。
【００３５】
以下、上記カード用コネクタ１の使用方法について説明する。
【００３６】
まず、使用者は、図３の（ａ）の矢印Ｙ１の方向にホルダ４を旋回して、当該ホルダ４を着脱位置へ変位させる。つまり、ホルダ４を矢印Ｙ１の方向に旋回すると、図４に示すように、ストッパー８ｂがカバー３の右側板１３に当接し、この位置でホルダ４の旋回動作が規制されることになる（このときのホルダ４の位置が着脱位置となる）。
【００３７】
上記着脱位置では、ベース２とカバー３との間からアーム９が完全に露出する一方、アーム８は、ベース２とカバー３との間に配置された状態となる。具体的に、上記ベース２及びカバー３の右下の角が両アーム８を越えてアーム９側に配置されている状態となる。
【００３８】
そして、この着脱位置において、使用者は、上記アーム９の先端側（側方）からスライド溝９ａに沿ってカードＣの一方の縁部をスライドさせつつ、カードＣの他方の縁部をベース２とカバー３との間にスライドさせる。
【００３９】
このスライドの際には、位置決め斜面９ｃに切欠きＣ１を対向させるように、カードＣを位置合せする必要がある。つまり、正規の位置合せされたカードＣは、図５に示すように、両アーム８、９の根元位置（フレーム１７に当接する位置）までカードＣをスライドさせることができる。このときのカードＣの姿勢は、各端子Ｔが下方に向いた姿勢となる。
【００４０】
反対に、間違って位置合せされた場合には、カードＣの角が上記位置決め斜面９ｃに当接して、両アーム８、９の根元位置までカードＣをスライドさせることができず、これにより、使用者は、カードＣの挿入方向が間違っていることを認識することになる。
【００４１】
そして、図５に示すように、正規の姿勢でカードＣが保持されると、使用者は、上記矢印Ｙ１（図３参照）と反対の方向へホルダ４を旋回する。これにより、ホルダ４は、ベース２とカバー３とに区画された空間内（具体的には、本体５、天板１０、左側板１１、後板１２及び、右側板１３に区画された空間）への摺動を開始する。
【００４２】
上記旋回の過程においては、カードＣの各端子Ｔが各接触端子６に対して摺動することになる。このとき、各接触端子６の先端部は、ホルダ４の旋回に伴うカードＣの軌道に対応して傾斜しているとともに、この傾斜方向に沿った湾曲面６ｃ（図３の（ｂ）参照）を備えているので、上記摺動の際に、各端子Ｔの表面を損傷してしまうといった不具合を防止することができる。さらに、上記湾曲面６ｃは、本体５上へ弾性的に突出する板ばねとしての作用と相俟って、摺動時に適度な力で端子Ｔ表面を払拭する、いわゆる端子Ｔのセルフクリーニング効果を発揮することになる。
【００４３】
さらに、ホルダ４を旋回すると、アーム９の側面が板ばね１６を撓ませつつ、さらにカバー３の奥へ挿入され、当該板ばね１６の腹部（湾曲部分）は、アーム９の凹部９ｂに入り込むことになる。したがって、使用者は、上記凹部９ｂに入り込む板ばね１６のリリースの感触（クリック感）により、ホルダ４が規定の位置（セット位置）まで旋回されたことを認識することができる。また、ホルダ４の位置が板ばね１６により保持されているので、当該ホルダ４が不意に着脱位置へ旋回してしまうことを防止することができる。
【００４４】
また、上記セット位置まで旋回されたホルダ４は、保持しているカードＣの側辺が、ベース２の後端に立設されたブロック体１４（図３参照）と当接することにより、それ以上の旋回が防止されることになる。したがって、ホルダ４が必要以上に旋回されることを防止することができ、カードＣの端子Ｔと接触端子６とを確実に接続することができる。
【００４５】
なお、上記凹部９ｂに対して板ばね１６が嵌り込むホルダ４の旋回位置よりもさらにホルダ４を旋回させたときに、カードＣとブロック体１４とが当接するように板ばね１６の配設位置を設定すれば、当該板ばね１６の嵌り込みを確実に実行した上で、必要以上の旋回操作を防止することができる。
【００４６】
そして、図１及び図３の（ａ）に示すように、ホルダ４がセット位置へ旋回された状態では、カードＣの端子Ｔと各接触端子６とが接続されることになる。この状態では、両アーム８、９の先端部がそれぞれベース２とカバー３との間に挿入されているとともに、上記操作片９ｄ及び窪み９ｅが露出するように、両アーム８、９の基端部及びフレーム１７の一部がベース２とカバー３との外側に配置されている。
【００４７】
一方、再びホルダ４を着脱位置へ旋回させる場合、使用者は、上記操作片９ｄに爪を掛けてホルダ４を矢印Ｙ１の方向へ旋回させることにより、上記板ばね１６を撓ませつつアーム９が変位するので、凹部９ｂから板ばね１６が離脱してホルダ４の係合状態が解除されることになる。
【００４８】
なお、本実施形態では、着脱位置とセット位置との間の旋回角度を約１００°に設定しているが、これに限定されることはなく、操作性等の観点から９０°〜１２０°の範囲から適宜選択することが好ましい。
【００４９】
また、ホルダ４をセット位置で回り止めする機構としては、カードＣとブロック体１４との当接に限定されることはなく、例えば、アーム９の先端部と後板１２とを当接させることにより、ホルダ４を回り止めするようにしてもよい。
【００５０】
以上説明したように、上記カード用コネクタ１によれば、ホルダ４をセット位置へ旋回することによりカードＣを装着することができる一方、ホルダ４を着脱位置へ旋回させることによりカードＣを取り外すことができるので、ホルダ４の旋回といった比較的簡易的な作業でカードＣの着脱を容易に行うことができる。
【００５１】
上記凹部９ｂ及び板ばね１６を備えた構成によれば、セット位置とされたホルダ４の位置が板ばね１６により保持されているので、当該ホルダ４が不意に着脱位置へ旋回してしまうことを防止することができる。
【００５２】
上記ベース２及びカバー３によって支軸７に対してホルダ４を抜け止めする構成によれば、特別に抜け止め用の部材を用意する必要がないので、カード用コネクタ１を簡易的な構成とすることができる。
【００５３】
カバー３にアース端子を形成した構成によれば、金属で形成してカバー３に強度を持たせつつ、不測の短絡等が発生した場合でも、当該アース端子１５を介してカバー３を接地することができる。
【００５４】
カードＣの一方の縁部をアーム９のスライド溝９ａで支持するとともに、ベース２及びカバー３によって他方の縁部を支持する構成によれば、両アーム８に対しても上記スライド溝９ａを形成する場合と比較して、ホルダ４の構成を簡素化することができる。さらに、この構成によれば、カードＣをホルダ４に保持させる際に、当該カードＣの一部をベース２とカバー３との間に配置することができるので、ホルダ４を旋回した場合に、ベース２とカバー３との間にカードＣを確実に挿入することができる。
【００５５】
位置決め斜面９ｃを備えた構成によれば、端子Ｔと接触端子６とが接触可能となる正規の位置に位置合せしたカードＣのみを、両アーム８、９間に保持することができるので、当該カードＣの端子Ｔと接触端子６とを確実に接続することができる。
【００５６】
ストッパー８ｂとカバー３の右側板１３とが当接することにより、着脱位置においてホルダ４の旋回位置を規制する構成によれば、ホルダ４を開き過ぎてしまうといった不具合を防止することができる。
【００５７】
カードＣの軌道に沿った湾曲面６ｃを備えた構成によれば、端子Ｔと接触端子６の摺動の際に、各端子Ｔの表面を損傷してしまうといった不具合を防止することができる。
【００５８】
さらに、上記カード用コネクタ１では、カードＣをカバー３及びベース２の側方から挿抜するようにしているので、カバー３上面を比較的フラットな形状とすれば、表面実装機等による自動吸着に適したものとすることができる。
【図面の簡単な説明】
【００５９】
【図１】本発明の実施形態に係るカード用コネクタの全体構成を示す斜視図である。
【図２】図１のカード用コネクタの分解斜視図である。
【図３】図１のカード用コネクタのカバーを省略した状態を示しており、（ａ）は平面図、（ｂ）は側面図である。
【図４】着脱位置とされたカード用コネクタにカードを保持させる状態を示す斜視図である。
【図５】ホルダを着脱位置からセット位置へ旋回する過程を示す斜視図である。
【符号の説明】
【００６０】
１    カード用コネクタ
２    ベース
３    カバー
４    ホルダ
６    接触端子
６ｃ    湾曲面（摺動面）
７    支軸
８、９    アーム
８ｂ    位置決め突起
９ｃ    位置決め斜面
１５    アース端子
１６    板ばね（弾性片）
Ｃ    カード
Ｃ１    切欠き
Ｔ    端子
【図１】
2006073302.tif 000003
【図２】
2006073302.tif 000004
【図３】
2006073302.tif 000005
【図４】
2006073302.tif 000006
【図５】
2006073302.tif 000007